(57)【要約】【課題】ユーザ自身が用紙の質感を認識しなくても適切に画像を形成できるようにする。【解決手段】取り込んだ画像データをビットマップデータに展開し（１０２）、展開したビットマップデータの３０％以上の範囲が文字画像データであるか否かを判断し（１０４）、判断が肯定のときは４５度角の反射率が２０％以下の光沢を持つ用紙が収納されたトレーを選択し（１０６）、判断が否定のとき、すなわち、展開したビットマップデータの７０％以上の範囲が文字画像データまたは余白データでない場合は、４５度角の反射率が５０％以上の光沢を持つ用紙が収納されたトレーを選択し（１０８）、選択した用紙に画像を印刷する。【選択図】図２
2008211812.tif 000002
【特許請求の範囲】
【請求項１】
４５度角の反射率が５０％以上の用紙を含む複数種類の用紙が各々収納可能な複数のトレーを備えた画像形成装置であって、
画像データを取り込むデータ取込手段と、
取り込んだ画像データのビットマップ展開後のデータの７０％以上の範囲が文字画像データ領域または余白データ領域か否かを判断する判断手段と、
前記判断手段で展開後のデータの７０％以上の範囲が文字画像データ領域または余白データ領域でないと判断されたときに４５度角の反射率が５０％以上の用紙を選択する選択手段と、
選択手段で選択された用紙に画像を形成する画像形成手段と、
を含む画像形成装置。
【請求項２】
４５度角の反射率が２０％以下の用紙及び４５度角の反射率が５０％以上の用紙を含む複数種類の用紙が各々収納可能な複数のトレーを備えた画像形成装置であって、
画像データを取り込むデータ取込手段と、
取り込んだ画像データのビットマップ展開後のデータの７０％以上の範囲が文字画像データ領域または余白データ領域か否か及びビットマップ展開後のデータの３０％以上の範囲が文字画像データ領域か否かを判断する判断手段と、
前記判断手段で展開後のデータの７０％以上の範囲が文字画像データ領域または余白データ領域でないと判断されたときに４５度角の反射率が５０％以上の用紙を選択し、展開後のデータの３０％以上の範囲が文字画像データ領域であると判断されたときに４５度角の反射率が２０％以下の用紙を選択する選択手段と、
選択手段で選択された用紙に画像を形成する画像形成手段と、
を含む画像形成装置。
【発明の詳細な説明】
【技術分野】
【０００１】
本発明は画像形成装置に係り、特に、写真質感を持つ光沢用紙に画像を形成することができる電子写真方式のカラープリンタ等のカラー画像形成装置に関する。
【背景技術】
【０００２】
電子写真方式のプリンタのカラー化や高画質化、及び写真質感を持った光沢紙の開発によって、これまでドキュメント分野に止まっていた電子写真方式が写真分野においても利用されてきており、用紙の質感の種類も多くなっている。
【０００３】
電子写真方式では、写真画像の多い画像データの印刷には光沢のある用紙が適しており、文字の多い画像データの印刷では細かな文字の判別のために光沢や反射が少ない用紙の方が適している。
【発明の開示】
【発明が解決しようとする課題】
【０００４】
しかしながら、従来では、用紙サイズを自動選択するプリンタは存在するものの、光沢の種類に応じた用紙の自動選択は行なわれていないため、画像データに応じた種類の光沢の用紙をユーザが認識し、手動で選択したり手動で給紙している。このため、ユーザの手を煩わせ、かつプリント操作を煩雑ものとしていた。
【０００５】
本発明は上記問題点を解消するためになされたもので、ユーザ自身が用紙の質感を認識しなくても自動的に適切な用紙を選択し、画像を形成することができる画像形成装置を提供することを目的とする。
【課題を解決するための手段】
【０００６】
上記目的を達成するため請求項１の発明は、４５度角の反射率が５０％以上の用紙を含む複数種類の用紙が各々収納可能な複数のトレーを備えた画像形成装置であって、画像データを取り込むデータ取込手段と、取り込んだ画像データのビットマップ展開後のデータの７０％以上の範囲が文字画像データ領域または余白データ領域か否かを判断する判断手段と、前記判断手段で展開後のデータの７０％以上の範囲が文字画像データ領域または余白データ領域でないと判断されたときに４５度角の反射率が５０％以上の用紙を選択する選択手段と、選択手段で選択された用紙に画像を形成する画像形成手段と、を含んで構成したものである。
【０００７】
請求項１の発明によれば、判断手段によって、取り込んだ画像データのビットマップ展開後のデータの７０％以上の範囲が文字画像データ領域または余白データ領域か否かが判断され、展開後のデータの７０％以上の範囲が文字画像データ領域または余白データ領域でないと判断されたときに、選択手段によって４５度角の反射率が５０％以上の用紙が選択される。そして、選択された用紙に画像が形成される。
【０００８】
また、請求項２の発明は、４５度角の反射率が２０％以下の用紙及び４５度角の反射率が５０％以上の用紙を含む複数種類の用紙が各々収納可能な複数のトレーを備えた画像形成装置であって、画像データを取り込むデータ取込手段と、取り込んだ画像データのビットマップ展開後のデータの７０％以上の範囲が文字画像データ領域または余白データ領域か否か及びビットマップ展開後のデータの３０％以上の範囲が文字画像データ領域か否かを判断する判断手段と、前記判断手段で展開後のデータの７０％以上の範囲が文字画像データ領域または余白データ領域でないと判断されたときに４５度角の反射率が５０％以上の用紙を選択し、展開後のデータの３０％以上の範囲が文字画像データ領域であると判断されたときに４５度角の反射率が２０％以下の用紙を選択する選択手段と、選択手段で選択された用紙に画像を形成する画像形成手段と、を含んで構成したものである。
【０００９】
請求項２の発明によれば、取り込んだ画像データのビットマップ展開後のデータの７０％以上の範囲が文字画像データ領域または余白データ領域か否か及びビットマップ展開後のデータの３０％以上の範囲が文字画像データ領域か否かが判断され、展開後のデータの７０％以上の範囲が文字画像データ領域または余白データ領域でないと判断されたときに、選択手段によって４５度角の反射率が５０％以上の用紙を選択し、展開後のデータの３０％以上の範囲が文字画像データ領域であると判断されたときに４５度角の反射率が２０％以下の用紙を選択される。そして、選択された用紙に画像が形成される。
【００１０】
以上説明したように、請求項1及び請求項２の発明によれば、画像データに最適な光沢の用紙が自動的に選択されるので、ユーザが用紙の質感を認識しなくても画像データに適した光沢の用紙が自動的に選択され、選択された用紙に画像が形成される。
【００１１】
本発明の用紙として電子写真用受像用紙を用いることができる。電子写真用受像用紙の支持体としては、定着温度に耐えることができ、平滑性、白色度、滑り性、摩擦性、帯電防止性、定着後のへこみ等の点で要求を満足できるものならばどのようなものでも使用できる。具体的には、合成紙（ポリオレフィン系、ポリスチレン系等の合成紙）、上質紙、アート紙、（両面）コート紙、（両面）キャストコート紙等が挙げられる。
【００１２】
より好ましくは、トナー受像層を持つものが良い。トナー受像層としては、少なくとも転写工程にて（静）電気、圧力等にて現像ドラムあるいは中間転写体より画像を形成するトナーを受容し、定着工程にて熱、圧力等にて固定化しうる受像性の物質よりなる。
【００１３】
受容性物質としては、熱可塑性樹脂、水溶性樹脂、流径の細かな顔料などが用いられる。受像層の厚さは、トナーの粒子径の１／２以上有ることが好ましく、さらに好ましくはトナー粒子径の１倍〜３倍の厚さである。また、受像層としては、特開平５−２１６３２２号公報、特開平７−３０１９３９号公報に開示された厚みのものが好ましい。
【００１４】
熱可塑性樹脂としては、定着温度及び温度で変形しトナーを受容し得るものであれば何でもよい。好ましくは、トナーのバインダーとして用いられている樹脂と同系列の樹脂が好ましい。トナーの多くはポリエステル樹脂やスチレン、スチレン−ブチルアクリレートなどの共重合樹脂が用いられているので、その場合、本発明の電子写真用受像シートに用いられる熱可塑性樹脂としても、ポリエステル樹脂やスチレン、スチレン−ブチルアクリレートなどの共重合樹脂を用いるのが好ましい。
【００１５】
さらに好ましくは、受像層以外にも表面保護層、中間層、下塗り層、クッション層、帯電調節（防止）層、反射層、色味調整層、保存性改良層、接着防止層、アンチカール層、平滑化層などを設けることができる。また、それぞれの層は２以上の層より構成されていてもよい。
【発明の効果】
【００１６】
以上説明したように本発明によれば、画像データに最適な光沢の用紙が自動的に選択されるので、ユーザが用紙の質感を認識しなくても画像データに適した光沢の用紙が自動的に選択され、選択された用紙に画像を形成することができる、という効果が得られる。
【発明を実施するための最良の形態】
【００１７】
以下、図面を参照して本発明の実施の形態を詳細に説明する。図１に示すように、本実施の形態の画像形成装置を備えた画像形成システムは、画像形成装置としてのコピー機能を備えたカラープリンタ１０、ＵＳＢケーブル等のケーブルを介して写真画像データ、文字画像データ、または写真画像データ及び文字画像データが混在した混在画像データ等の画像データをカラープリンタ１０へ送信するパーソナルコンピュータ１２、及びＵＳＢケーブル等のケーブルを介してパーソナルコンピュータ１２へ写真画像データを転送するデジタルカメラ１４から構成されている。
【００１８】
カラープリンタ１０には、各々種類が異なる用紙が収納可能な複数のトレー１０Ａ、１０Ｂ、１０Ｃが設けられると共に、プラテンガラスを備えプラテンガラスに載置された原稿から画像を読み取るＣＣＤ等で構成された画像読取装置が設けられている。このトレーの各々には、普通紙等の４５度角の反射率が２０％以下の用紙、光沢紙等の４５度角の反射率が５０％以上の用紙が収納されている。この反射率は、ＪＩＳＺ８７４１で規定された値である。
【００１９】
また、カラープリンタ１０には、パーソナルコンピュータ１２から送信された１ページ分の画像データ、または画像読取装置で読み取られた１ページ分の画像データを取り込んで一旦記憶するページバッファ、及びページバッファに記憶された画像データをビットマップデータに展開する展開部が設けられると共に、レーザ光を照射する光源、ポリゴンミラー、及び感光ドラムを備え、給紙された用紙に電子写真方式によって画像を形成する画像形成部、及び展開部や画像形成部等を制御するマイクロコンンピュータで構成された制御回路が設けられている。
【００２０】
デジタルカメラ１４は、写真画像データをパーソナルコンピュータ１２に送信するものであり、パーソナルコンピュータ１２ではデジタルカメラから送信された写真画像データにパーソナルコンピュータで作成した文書画像データ等を合成することができる。
【００２１】
なお、デジタルカメラに代えて、スマートメディア、メモリースティック、コンパクトフラッシュ（登録商標）、及びＣＤ−ＲＯＭ等の記録媒体に記録された写真画像データをパーソナルコンピュータに入力してもよく、他のパーソナルコンピュータ等で作成した混在画像データを入力してもよい。
【００２２】
なお、文書画像データは、ワープロソフトを使用してパーソナルコンピュータで作成したり、他のパーソナルコンピュータで作成してフロッピー（登録商標）ディスクやＣＤ−Ｒ／ＷＲ等の記録媒体に記録して、パーソナルコンピュータに入力してもよい。
【００２３】
以下、カラープリンタの制御回路によって実行される用紙選択・印刷処理について図２を参照して説明する。
【００２４】
ステップ１００において、パーソナルコンピュータから送信された画像データを取り込んでバッファに一旦記憶し、ステップ１０２において取り込んだ画像データをビットマップデータに展開する。ステップ１０４では、展開したビットマップデータの３０％以上の範囲が文字画像データであるか否かを判断する。ステップ１０４の判断が肯定のときは、ステップ１０６において４５度角の反射率が２０％以下の光沢を持つ用紙が収納されたトレーを選択し、選択したトレーから用紙が給紙されるように制御する。ここで、ビットマップデータの３０％以上の範囲が文字画像データであるとしたのは、この範囲の画像データが４５度角の反射率が２０％以下の光沢を持つ用紙に適しているからである。
【００２５】
これによって、図示しない搬送手段によって用紙が画像形成部に給紙され、展開されたビットマップデータに基づいて画像が印刷される。
【００２６】
一方、ステップ１０４の判断が否定のとき、すなわち、展開したビットマップデータの７０％以上の範囲が文字画像データまたは余白データでない場合、例えば、展開したビットマップデータの７０％以上の範囲が写真画像データである場合は、ステップ１０８において４５度角の反射率が５０％以上の光沢を持つ用紙が収納されたトレーを選択し、選択したトレーから用紙が給紙されるように制御する。ここで、ビットマップデータの７０％以上の範囲が文字画像データまたは余白データでないとしたのは、この範囲の画像データが４５度角の反射率が５０％以上の光沢を持つ用紙に適しているからである。
【００２７】
なお、文字画像データの領域と写真画像データの領域とを識別するには、例えば、特開平７−３０７５２号公報に記載されているように、画像全体を細分したブロック毎に平均濃度を算出し、隣接ブロック間の濃度差と予め設定しておいた閾値とを比較することで識別することができる。
【００２８】
これによって、用紙が画像形成部に給紙され、展開されたビットマップデータに基づいて画像が印刷される。
【００２９】
以上の結果、１ページ分のデータが文字画像データの多いの画像データである場合には、普通紙等の光沢が所定値以下の用紙が自動的に選択されて画像が印刷され、１ページ分のデータが写真画像データの多いの画像データである場合には、光沢が所定値以上の光沢紙が自動的に選択されたて画像が印刷される。
【図面の簡単な説明】
【００３０】
【図１】本発明の実施の形態の画像形成システムを示すブロック図である。
【図２】本発明の実施の形態の用紙選択印刷処理ルーチンを示す流れ図である。
【符号の説明】
【００３１】
１０  カラープリンタ
１２  パーソナルコンピュータ
１４  デジタルカメラ
【図１】
2008211812.tif 000003
【図２】
2008211812.tif 000004